(57)【要約】      （修正有）【課題】収納や持ち運びに便利な刷毛ローラー架台を提供する。【解決手段】刷毛ローラー架台１０は、刷毛ローラーを転がすための平面板２を有する。平面板２の裏面には、バケツ型のペイント缶２０の開口端縁２２に掛け止めるための２本のフック４が設けられている。平面板２の下部には、棒材からなる２本の支持脚６が設けられている。支持脚６は、平面板２が傾斜する角度で平面板２を支持する。これにより、ペイント缶２０の開口端縁２２にフック４を掛け止めて固定した状態でペイント缶２０内に収納することができる。【選択図】図３
0003205366.tif 000002
【実用新案登録請求の範囲】
【請求項１】
上部が開口した塗料収容容器内に収容可能な刷毛ローラー架台であって、
刷毛ローラーを転がすための平面板と、
前記平面板の裏面に設けられ、前記塗料収容容器の開口端縁に掛け止めるための掛止部と、
前記平面板の下部に設けられ、前記平面板が傾斜する角度で前記平面板を支持する支持部とを備えることを特徴とする刷毛ローラー架台。
【考案の詳細な説明】
【技術分野】
【０００１】
本考案は、塗料収容容器内に収容可能な刷毛ローラー架台に係り、特に、収納や持ち運びに便利な刷毛ローラー架台に関する。
【背景技術】
【０００２】
従来、刷毛ローラーで塗料を塗る場合、平板状の架台を用意し、刷毛ローラーを架台上で転がし、刷毛ローラーに付着した余分な塗料を落としながら行っていた。この架台は、比較的大きく嵩張るため、収納や持ち運びに不便であった。
【考案の概要】
【考案が解決しようとする課題】
【０００３】
そこで、本考案は、このような従来の技術の有する未解決の課題に着目してなされたものであって、収納や持ち運びに便利な刷毛ローラー架台を提供することを目的としている。
【課題を解決するための手段】
【０００４】
〔考案１〕  上記目的を達成するために、考案１の刷毛ローラー架台は、上部が開口した塗料収容容器内に収容可能な刷毛ローラー架台であって、刷毛ローラーを転がすための平面板と、前記平面板の裏面に設けられ、前記塗料収容容器の開口端縁に掛け止めるための掛止部と、前記平面板の下部に設けられ、前記平面板が傾斜する角度で前記平面板を支持する支持部とを備える。
【０００５】
このような構成であれば、刷毛ローラー架台を使用する場合は、支持部を地面等に設置することにより、平面板が傾斜した状態で刷毛ローラー架台が起立して設置される。この状態で刷毛ローラーを平面板上で転がせば、刷毛ローラーに付着した余分な塗料を落とすことができる。
【０００６】
刷毛ローラー架台を使い終わった場合は、塗料収容容器の開口端縁に掛止部を掛け止めて固定した状態で刷毛ローラー架台を塗料収容容器内に収納することができる。
【考案の効果】
【０００７】
以上説明したように、考案１の刷毛ローラー架台によれば、塗料収容容器の開口端縁に掛止部を掛け止めて固定した状態で刷毛ローラー架台を塗料収容容器内に収納することができるので、従来に比して、収納や持ち運びに便利である。
【図面の簡単な説明】
【０００８】
【図１】刷毛ローラー架台１０の背面からみた斜視図である。
【図２】刷毛ローラー架台１０の右側面図である。
【図３】刷毛ローラー架台１０をペイント缶２０に収納した状態を示す図である。
【考案を実施するための形態】
【０００９】
以下、本考案の実施の形態を説明する。図１乃至図３は、本実施の形態を示す図である。
【００１０】
まず、本実施の形態の構成を説明する。
図１は、刷毛ローラー架台１０の背面からみた斜視図である。
【００１１】
図２は、刷毛ローラー架台１０の右側面図である。
図３は、刷毛ローラー架台１０をペイント缶２０に収納した状態を示す図である。
【００１２】
刷毛ローラー架台１０は、図１及び図２に示すように、刷毛ローラー３０を転がすための平面板２を有して構成されている。
【００１３】
平面板２の裏面には、バケツ型のペイント缶２０の開口端縁２２に掛け止めるための２本のフック４が設けられている。フック４は、左右対称に平面板２の裏面の右辺上部及び左辺上部にそれぞれ設けられている。
【００１４】
平面板２の下部には、棒材からなる２本の支持脚６が設けられている。支持脚６は、平面板２が傾斜する角度で平面板２を支持する。支持脚６は、左右対称に平面板２の裏面の右下角部及び左下角部にそれぞれ設けられている。平面板２と支持脚６との角度は、刷毛ローラー架台１０をペイント缶２０内に収容した場合に平面板２の平面とペイント缶２０の底面とのなす角度と略同じ角度に調整されている。
【００１５】
刷毛ローラー架台１０は、例えば、平面板２の縦方向の長さが２７０[mm]、支持脚６の長さが１２０[mm]、平面板２と支持脚６との角度が６０°として構成することができる。
【００１６】
次に、本実施の形態の動作を説明する。
刷毛ローラー架台１０を使用する場合は、支持脚６を地面等に設置することにより、平面板２が傾斜した状態で刷毛ローラー架台１０が起立して設置される。この状態で刷毛ローラー３０を平面板２上で転がせば、刷毛ローラー３０に付着した余分な塗料を落とすことができる。
【００１７】
刷毛ローラー架台１０を使い終わった場合は、図３に示すように、ペイント缶２０の開口端縁２２にフック４を掛け止めて固定した状態で刷毛ローラー架台１０をペイント缶２０内に収納することができる。
【００１８】
次に、本実施の形態の効果を説明する。
本実施の形態では、刷毛ローラー架台１０は、刷毛ローラー３０を転がすための平面板２と、平面板２の裏面に設けられ、ペイント缶２０の開口端縁２２に掛け止めるためのフック４と、平面板２の下部に設けられ、平面板２が傾斜する角度で平面板２を支持する支持脚６とを備える。
【００１９】
これにより、ペイント缶２０の開口端縁２２にフック４を掛け止めて固定した状態で刷毛ローラー架台１０をペイント缶２０内に収納することができるので、従来に比して、収納や持ち運びに便利である。
【００２０】
なお、上記実施の形態において、平面板２と支持脚６との角度は、刷毛ローラー架台１０をペイント缶２０内に収容した場合に平面板２の平面とペイント缶２０の底面とのなす角度と略同じ角度に調整したが、これに限らず、刷毛ローラー架台１０をペイント缶２０内に収容した場合に平面板２の平面とペイント缶２０の底面とのなす角度よりも小さい角度又は大きい角度で調整してもよい。
【００２１】
また、上記実施の形態において、平面板２の裏面に支持脚６を固定したが、これに限らず、ヒンジ等を介して支持脚６を平面板２の裏面側に折り畳めるように構成してもよいし、平面板２と支持脚６との角度を調整可能に構成してもよい。
【００２２】
また、上記実施の形態において、２本の支持脚６を設けたが、これに限らず、３本以上設けてもよいし、棒状ではなく板状その他任意の形状で構成してもよい。
【００２３】
また、上記実施の形態において、平面板２の裏面にフック４を固定したが、これに限らず、ヒンジ等を介してフック４を平面板２の裏面側に折り畳めるように構成してもよいし、平面板２との角度を調整可能に構成してもよい。
【００２４】
また、上記実施の形態において、２本のフック４を設けたが、これに限らず、３本以上設けてもよいし、フック以外の取付構造を採用することもできる。
【符号の説明】
【００２５】
２…平面板、  ４…フック、  ６…支持脚、  １０…刷毛ローラー架台、  ２０…ペイント缶、  ２２…開口端縁、  ３０…刷毛ローラー
【図１】
0003205366.tif 000003
【図２】
0003205366.tif 000004
【図３】
0003205366.tif 000005